(57)【要約】      （修正有）【課題】多数のメーカに適合し、また適用可能な種類と場所にも汎用性があり、作業性が良好な外壁板の留め金具を提供する。【解決手段】取付け部１０と、左右の側壁状の支持部２０Ｌ，２０Ｒと、水平部３０と、その外側に形成された外斜め上方への屈曲部３１Ｌ，３１Ｒと、同じく下方への屈曲部３２とを有し、支持部の上方には誘導部が形成され、水平部の下側面は支持部の下端に近く、下方への屈曲部は水平部の先端側の一部を９０度折り曲げて形成され、その下地側面は支持部の垂直壁の外側端から７．９ｍｍにあり、下端は水平部の上側面から７．２ｍｍにあり、外斜め上方への屈曲部は、水平部の先端側の一部を外斜め上方に６８度折り曲げて形成され、その外側端は下方への屈曲部より外側へ出ず、全体は直交配置も可能な幅とする。【選択図】図１
0003161057.tif 000002
【実用新案登録請求の範囲】
【請求項１】
下地材への取付け部と、取付け部の左右に形成された側壁状の支持部と、取付け部の下端かつ左右の支持部の間に形成された水平部と、水平部の外側の中央または左右両側に形成された外斜め上方への屈曲部と、水平部の外側の左右両側または中央に形成された下方への屈曲部とを有し、
側壁状の支持部は、その上方の頂点部から外側端の垂直方向への移行が曲面状または傾斜線状になされることにより誘導部を形成し、
水平部は、その下側面が左右の支持部の下端から１４．５ｍｍ以下の位置にあり、
下方への屈曲部は、水平部の先端側の左右両側部または中央部が下方に９０度折り曲げられることにより形成され、その下地側面は支持部の垂直方向をなす箇所の外側端から６．８５〜６．９５ｍｍの位置にあり、外側面は支持部の垂直方向をなす箇所の外側端から７．８５〜７．９５ｍｍの位置にあり、またその下端は水平部の上側面から７．１３〜７．２７ｍｍの位置にあり、
外斜め上方への屈曲部は、水平部の先端側の中央部または左右両側部が、支持部の垂直方向をなす箇所の外側端から４．０〜４．０８ｍｍの位置から外斜め上方に６８度折り曲げられることにより形成され、折り曲げられた箇所の最上部は支持部の垂直方向をなす箇所の外側端から６．６５〜６．７５ｍｍの位置に在り、折り曲げ箇所の上面の長さは７．０６〜７．２ｍｍかつ当該屈曲部の最外側端は下方への屈曲部の外側面より出ず、
さらに水平方向の最大幅は、角部用の９０度直交する外面を有する、そして内側の1辺の長さが７０ｍｍ以上の外壁板を２個の留め金具で９０度交差して配置して留めることが可能であることを特徴とする外壁板の留め付け金具。
【請求項２】
下地材への取付け部と、取付け部の左右に形成された側壁状の支持部と、取付け部の下端かつ左右の支持部の間に形成された水平部と、水平部の外側の中央または左右両側に形成された外斜め上方への屈曲部と、水平部の外側の左右両側または中央に形成された下方への屈曲部とを有し、
側壁状の支持部は、その上方の頂点部から外側端の垂直方向への移行が曲面状または傾斜線状になされることにより誘導部を形成し、
水平部は、その下側面が左右の支持部の下端から１５．０ｍｍ以下の位置にあり、
下方への屈曲部は、水平部の先端側の左右両側部または中央部等の一部が下方に９０度折り曲げられることにより形成され、その下地側面は支持部の垂直方向をなす箇所の外側端から６．８〜７．０ｍｍの位置にあり、外側面は支持部の垂直方向をなす箇所の外側端から７．８〜８．０ｍｍの位置にあり、またその下端は水平部の上側面から７．１０〜７．３ｍｍの位置にあり、
外斜め上方への屈曲部は、水平部の先端側の中央部または左右両側部等の一部が、支持部の垂直方向をなす箇所の外側端から３．９５〜４．１３ｍｍの位置から外斜め上方に６８度程度折り曲げられることにより形成され、折り曲げられた箇所の最上部は支持部の垂直方向をなす箇所の外側端から６．６〜６．８ｍｍの位置に在り、折り曲げ箇所の上面の長さは７．１〜７．２４ｍｍかつ当該屈曲部の最外側端は下方への屈曲部の外側面より出ず、
さらに水平方向の最大幅は、角部用の９０度直交する外面を有する、そして内側の1辺の長さが７０ｍｍ以上の外壁板を２個の留め金具で９０度交差して配置して留めることが可能であることを特徴とする外壁板の留め付け金具。
【請求項３】
側壁状の支持部の上端部の長さは５．３８８ｍｍ未満であり、
上端部を除く上方の外側端が各々左右に折り曲げられて、取付けのために上方から下ろされる外壁板の幅広の誘導部を形成していることを特徴とする請求項１または請求項２に記載の外壁板の留め付け金具。
【請求項４】
釘穴は、取付け部の上辺から１４ｍｍ以上下方の位置に形成され、
中心のねじ穴は、左右の支持部の側壁部の左右の上下端を結ぶ略長方形の対角線の中心から３ｍｍ以内の位置に在ることを特徴とする請求項１ないし請求項３の何れかに記載の外壁板の留め付け金具。
【請求項５】
左右の側壁状の支持部の水平部の下方に位置する箇所の一部を、加工により内側へ凸出させ、水平部の下面を左右両側から支持する水平部支持機構が形成されていることを特徴とする請求項１ないし請求項４の何れかに記載の外壁板の留め付け金具。
【考案の詳細な説明】
【技術分野】
【０００１】
本考案は外壁材を取付ける際に用いる留め付け金具に関し、特に形状と寸法を工夫して多くのメーカ規格、多様な場所に適用可能、かつ作業性に優れる留め付け金具に関する。
【背景技術】
【０００２】
外観の審美性を大きく改善し、その他断熱性や耐久性をも向上させる目的で、建築物の外表面には外壁板（外装材）が取付けられることが多い。その取付けは、長方形の薄板状の外壁板の上下の端部を、留め付け金具（通気留付金具、金具）を用いて下地材（建物の躯体の外表面壁材等）へ固定することがなされる。この際、しっかりした固定がなされること、上下の相互に隣り合う外壁板の外表面が面一と成ること、作業性の向上等の見地より、外壁板の上下の端面には段や切欠きが形成され、留め付け金具の構造（含む、寸法）、形状は、それらに適合したものされている。
【０００３】
具体的には、下地材に取付けられた状態の留め金具の平面形は略長方形であり、その上下方向の中央に外部側に突出する水平部が形成され、水平部の先端側の左右両側（あるいは中央部）は下側あるいは斜め下側に屈曲され、同じく中央部（あるいは左右両側）は上側あるいは斜め上側に屈曲された構造、形状である。これにより、水平部で上方の外壁板の荷重を受持ち、左右両側と中央部の屈曲は各々上方、あるいは下方の外壁板の段や切欠きに嵌め込まれてそれらを固定する様になされている（特許文献１の図１、同２の図１）。
【０００４】
ただし、外壁板はユーザの多様な趣味に合わせる必要があること、まだまだ発展段階であることなどの為、多種多様である。このため、外壁板の端面の取付けのための構造、形状について全国的に統一された規格はなく、各メーカは細部が異なる独自の規格を用いているのが実情である。当然、留め付け金具についても、各メーカは細部が異なる独自の規格を用いている（非特許文献1から同４）。
【０００５】
その対策として、建物の平面部の外壁板に通常用いられる留め付け金具については、複数のメーカの外壁材に適用できる構造、形状の留め金具についての実用新案登録が幾つかなされている（特許文献１、同２）。
【０００６】
なお、留め金具の下地材への固定にはボルトや釘等が用いられたり、その他種々の工事もなされたりもするが、周知技術であるため、これらについての説明は省略する。
【先行技術文献】
【特許文献】
【０００７】
【特許文献１】実用新案登録第３１２５４７３号
【特許文献１】実用新案登録第３１５３２９９号
【非特許文献】
【０００８】
【非特許文献１】クボタ松下電工株式会社の一般地域用の「外壁材」のカタログ、２００８年１２月発行
【非特許文献２】ニチハ株式会社の「外装建材フルラインナップカタログ」、２００９年７月発行
【非特許文献３】旭トステム株式会社のカタログ「ＡＴ−ＷＡＬＬ」、２００９年３月１日発行
【非特許文献４】神島化学工業株式会社のカタログ「ＥＸＴＥＲＩＯＲ  ＆  ＩＮＴＥＲＩＯＲ」、２００９年１２月発行
【考案の概要】
【考案が解決しようとする課題】
【０００９】
しかしながら、前記の考案に係る留め金具等は何れも、多数ある外壁板のメーカのうちの２社の規格に適合しているだけであり、汎用性が不充分である。
３社以上の規格に適合した留め金具も発表されている様であるが、それでも充分とは言い難い。
このため、現実問題として外壁板の取付け工事の作業者は、施行する外壁板のメーカ毎に適合した留め金具を予め手配し、保管しておく必要がある。このため、在庫負担が、具体的には手間と経費が増大する。
【００１０】
さらに、外壁板の取付けは建物の所在地にてなされるため、作業者はその外壁板に適合した留め金具を作業現場に持参する必要があるが、何れの規格の留め金具も細部は相違するものの、大まかな構造、形状、寸法、その他材料や製造方法等は略同じであり誤認し易い。そのため、誤って他のメーカの規格の物を持参したりすることが無いよう出発時に充分な注意を払う必要があり、この面からも在庫負担が大きくなる。
【００１１】
さらに、実際の建物への外壁板の取付けにおいては、建物の角部では断面が「＜（２辺のなす角度は９０度）」状の細長い板外壁板が用いられるため専用の留め金具が必要であったり、最下部になる外壁板の下端は専用の留め金具が用いられたりするだけでなく、それらの留め金具についても各メーカ規格があるため、外壁板の取付け作業者の負担はさらに大きくなる。
【００１２】
また、実際の建物への外壁板の取付けは現場でなされるため、留め金具は可能な限り作業性を考慮した構造、形状であるのが好ましいが、現在用いられている留め金具は、下地材への固定、外壁板の装着等は、必ずしも充分であるとは言い難い。
【００１３】
このため、単に多数のメーカ規格に適合するだけでなく、適用可能な外壁板の種類や場所についても汎用性があり、その上従来以上に作業性が良好である留め金具の開発が望まれていた。
【課題を解決するための手段】
【００１４】
本出願人は、以上の課題を解決すべく鋭意研究を重ねた結果、留め金具の水平部、水平部の先端側の左右や中央の屈曲箇所の形状や寸法、下地材に固定される取付け部からの水平部の立上がり位置、基部の左右の支持部の形状等に工夫を凝らすことにより本考案を完成させるに至ったものである。以下、各請求項の内容を説明する。
【００１５】
請求項１に記載の考案は、
下地材への取付け部と、取付け部の左右に形成された側壁状の支持部と、取付け部の下端かつ左右の支持部の間に形成された水平部と、水平部の外側の中央または左右両側に形成された外斜め上方への屈曲部と、水平部の外側の左右両側または中央に形成された下方への屈曲部とを有し、
側壁状の支持部は、その上方の頂点部から外側端の垂直方向への移行が曲面状または傾斜線状になされることにより誘導部を形成し、
水平部は、その下側面が左右の支持部の下端から１４．５ｍｍ以下の位置にあり、
下方への屈曲部は、水平部の先端側の左右両側部または中央部が下方に９０度折り曲げられることにより形成され、その下地側面は支持部の垂直方向をなす箇所の外側端から６．８５〜６．９５ｍｍの位置にあり、外側面は支持部の垂直方向をなす箇所の外側端から７．８５〜７．９５ｍｍの位置にあり、またその下端は水平部の上側面から７．１３〜７．２７ｍｍの位置にあり、
外斜め上方への屈曲部は、水平部の先端側の中央部または左右両側部が、支持部の垂直方向をなす箇所の外側端から４．０〜４．０８ｍｍの位置から外斜め上方に６８度折り曲げられることにより形成され、折り曲げられた箇所の最上部は支持部の垂直方向をなす箇所の外側端から６．６５〜６．７５ｍｍの位置に在り、折り曲げ箇所の上面の長さは７．０６〜７．２ｍｍかつ当該屈曲部の最外側端は下方への屈曲部の外側面より出ず、
さらに水平方向の最大幅は、角部用の９０度直交する外面を有する、そして内側の1辺の長さが７０ｍｍ以上の外壁板を２個の留め金具で９０度交差して配置して留めることが可能であることを特徴とする外壁板の留め付け金具である。
【００１６】
本請求項の考案においては、各部の寸法を含む構造、形状が適切であるため、ただ１種の止め金具で各メーカ規格の外壁板を取付けることが可能となるだけでなく、一番下の外壁板の取付け、建物の角部の外壁板の取付けも可能となる。このため、外壁板の取付け工事の作業者の留め金具の手配し、保管、作業現場への持参等の手間、経費、精神的負担等が軽減される。
【００１７】
なお、「水平方向の最大幅は、角部用の９０度直交する外面を有する、そして下地材側の（内側の）1辺の長さが７０ｍｍの外壁板を２個の留め金具で９０度交差して配置して留めることが可能である」ためには、全体の幅が５８ｍｍ以下であるのが好ましい。
またこのため、止め金具の全体の幅の如何によっては、側壁状の支持部の上方の頂点部の水平部分は必ずしも必要でなく、いきなり外側端の垂直方向への移行が曲面状あるいは傾斜線状になされても良い。
さらに、請求項に記載する寸法の要件を充たす限り、実際の建築物に用いられている外壁板の２面の交差角は９０度でなくても良い。
【００１８】
また、請求項に記載してある寸法はあくまでも多数のメーカの外壁板に適合して固定可能とするためであり、固定に無関係な箇所の位置、形状、寸法等は名称、実施例等に限定（拘束）されないのはもちろんである。例えば、水平部の下地材への取付け部近くは、強度を確保するため凹凸が形成されている等である。
【００１９】
また、製造方法は不問である。このため、折り曲げ部や水平部支持機構は、溶接で板片を付けて形成されていても良い。
同じく、材料も不問である。
【００２０】
同じく、水平部に細長い薄板を乗せたり、アラルダイト等の硬化性の樹脂（あるいは接着剤）層を形成したりして、これらを介して上方に在る外壁板の下端を支える様にしても良い。即ち、請求項に記載されている構成を具備する限り、汎用的な補助材を用いて外壁板の固定、支持をより強固に行うようにしていても良い。
また、同様の手段で下方への屈曲部や外斜め上方への屈曲部の多少の寸法、形状の変更を実質的に可能とし、将来のメーカ規格の変更や、特殊なメーカの規格に対しても柔軟に対処しても良い。
【００２１】
また、規格が相違する外国のメーカの製品に適合させる等のため、前記寸法を充たす留め金具や外壁板の細部を現場加工で０．０５ｍｍ程度削ったり、僅かに屈曲を変更したり、変形させて用いても良い。なお、０．０５ｍｍ程度の寸法の相違であれば、現場における補償、適合工事が可能である。
【００２２】
請求項２に記載の考案は、
下地材への取付け部と、取付け部の左右に形成された側壁状の支持部と、取付け部の下端かつ左右の支持部の間に形成された水平部と、水平部の外側の中央または左右両側に形成された外斜め上方への屈曲部と、水平部の外側の左右両側または中央に形成された下方への屈曲部とを有し、
側壁状の支持部は、その上方の頂点部から外側端の垂直方向への移行が曲面状または傾斜線状になされることにより誘導部を形成し、
水平部は、その下側面が左右の支持部の下端から１５．０ｍｍ以下の位置にあり、
下方への屈曲部は、水平部の先端側の左右両側部または中央部等の一部が下方に９０度折り曲げられることにより形成され、その下地側面は支持部の垂直方向をなす箇所の外側端から６．８〜７．０ｍｍの位置にあり、外側面は支持部の垂直方向をなす箇所の外側端から７．８〜８．０ｍｍの位置にあり、またその下端は水平部の上側面から７．１０〜７．３ｍｍの位置にあり、
外斜め上方への屈曲部は、水平部の先端側の中央部または左右両側部等の一部が、支持部の垂直方向をなす箇所の外側端から３．９５〜４．１３ｍｍの位置から外斜め上方に６８度程度折り曲げられることにより形成され、折り曲げられた箇所の最上部は支持部の垂直方向をなす箇所の外側端から６．６〜６．８ｍｍの位置に在り、折り曲げ箇所の上面の長さは７．１〜７．２４ｍｍかつ当該屈曲部の最外側端は下方への屈曲部の外側面より出ず、
さらに水平方向の最大幅は、角部用の９０度直交する外面を有する、そして内側の1辺の長さが７０ｍｍ以上の外壁板を２個の留め金具で９０度交差して配置して留めることが可能であることを特徴とする外壁板の留め付け金具である。
【００２３】
本請求項の考案は、数値の許容範囲が広く成るため、製造が容易となる。なお、前記の如く０．０５ｍｍ程度の切削や変形は、現場においても極めて容易である
【００２４】
また、外斜め上方への屈曲部の外斜め上方への折り曲げ角度を「６８度程度」としているのは、他の寸法との都合で６８度から僅かに相違することもあり得る（権利範囲に含まれる）ことを考慮したものである。
【００２５】
請求項３に記載の考案は
側壁状の支持部の上端部の長さは５．３８８ｍｍ未満であり、
上端部を除く上方の外側端が各々左右に折り曲げられて、取付けのために上方から下ろされる外壁板の幅広の誘導部を形成していることを特徴とする外壁板の留め付け金具である。
【００２６】
本請求項の考案では、側壁状の支持部の上端部の長さは５．３８８ｍｍ未満であるため、取付けのために上方から下ろされる外壁板の下端、特に内側下端が留め金具に引っかかることがない。
また、左右に形成された側壁状の支持部の外側端が、各々左右に折り曲げられて、板圧より幅広となる誘導部を形成しているため、取付けのために上方から下ろされる外壁板の下端が損傷する危険性が無くなる。
【００２７】
なお、「幅広」とは、５ｍｍ程度が好ましいが、前記の条件で角用の外装板を取付け可能であれば、この値に限定されない。
【００２８】
また、「左右に折り曲げられて」とは、折り曲げられた形状であってという趣旨であり、ロウ付け等の他の加工方法であっても本請求項に含まれる。
【００２９】
請求項４に記載の考案は、
釘穴は、取付け部の上辺から１４ｍｍ以上下方の位置に形成され、
中心のねじ穴は、左右の支持部の側壁部の左右の上下端を結ぶ略長方形の対角線の中心から３ｍｍ以内の位置に在ることを特徴とする外壁板の留め付け金具である。
【００３０】
本請求項の考案では、釘穴の位置が取付け部の上辺から１４．５ｍｍ以上は慣れているため、作業の最中に何らかの理由で上方に突き上げ力が作用したりしても、留め金具が剥がれ難くなる。
【００３１】
また、中央のねじ穴の位置は、留め金具と下地材の接触面の中心あるいはその近くに在るため、ねじのねじ込みが容易となり、たねじ込み後の安定性も増加する。
【００３２】
請求項５に記載の考案は、
左右の側壁状の支持部の水平部の下方に位置する箇所の一部を、加工により内側へ凸出させ、水平部の下面を左右両側から支持する水平部支持機構が形成されていることを特徴とする外壁板の留め付け金具である。
【００３３】
本請求項の考案では、水平部支持機構の形成が容易となる。
【考案の効果】
【００３４】
本考案の留め金具は、ただ１種類で数多くのメーカの、それも多くの箇所の外壁板の取付けに用いることができるため、外壁板の取付け工事の作業者は外壁板のメーカ毎に、さらには取付け箇所毎に適合した留め金具を手配し、保管しておく必要がなくなるため、そのための手間と経費が無くなる。また、作業現場に誤ったメーカ規格の留め金具を持参する危険性が無くなるため、この面からも管理等に要する負担が小さくなる。
【図面の簡単な説明】
【００３５】
【図１】本考案の第１実施の形態の留め金具の形状を示す図である。
【図２】同じく、その水平部外側付近の寸法を示す図である。
【図３】同じく、各外壁板のメーカの製品を固定している様子を示す図である。
【図４】同じく、最下部の外壁板を取付けている様子を示す図である。
【図５】同じく、角部用の外壁板を取付けている様子を示す図である。
【図６】本考案の第２の実施の形態の留め金具の３面図である。
【考案を実施するための形態】
【００３６】
以下、本考案をその最良の実施の形態に基づいて説明する。なお、本考案は、以下の実施の形態に限定されるものではなく、請求項に記載している要件およびそれと均等の範囲内は全て権利範囲に含まれるのはもちろんである。
【００３７】
（第１の実施の形態）
図１に、本考案の第１の実施の形態の留め金具の外形の寸法と形状を、図２に要部の寸法を示す。両方の図において、１０は取付け部であり、１１はその基板部であり、１２はその釘穴部であり、１８は釘穴であり、１９はねじ穴である。２０Ｌと２０Ｒは各々左右の支持部であり、２１Ｌと２１Ｒは各々それらの頂点部であり、２２Ｌと２２Ｒは各々それらの誘導部であり、２３Ｌと２３Ｒは各々それらの側壁部である。３０は水平部であり、３１Ｌと３１Ｒは外斜め上方への屈曲部であり、３２は下方への屈曲部である。
【００３８】
図１の（１）は、この留め金具を建物の外壁の下地材に取付けた状態を、下地材に直交する外側（前）方向から見た図である。（２）図は、同じく右側面から見た図であり、左側面から見ても同様である。（３）は、同じく上方から下方を見た図である。但し、自明かつ煩雑となるため、取付け用のねじや釘、建物の下地材等は描いていない。
【００３９】
本実施の形態の留め金具の製造は、金属薄板のプレス、切断、折り曲げを主としてなされる。具体的には、厚さ１．０ｍｍ程度の金属薄板、例えば亜鉛鋼板を、最初はプレスと切断により所定の形状の薄板片とし、次にこの薄板片を折り曲げ加工する。具体的には、取付け部１０（基板部１１）の左右両側を前方へ９０度折り曲げて左右の支持部２０Ｒ、２０Ｌを形成し、取付け部１０の下方を左右の支持部２０Ｒ、２０Ｌと同じく外側（前）方向に９０度折り曲げて水平部３０を形成し、さらにその先端の左右両側を外斜め上方に折り曲げて外斜め上方への屈曲部３１Ｌ、３１Ｒを形成し、同じく中央部を下方に９０度折り曲げて下方への屈曲部３２を形成する。なお、左右両側が下方への屈曲部に、中央部が外斜め上方への屈曲部と成るように折り曲げても良いのはもちろんである。
【００４０】
図１に示す様に、この留め金具の幅（水平方向）は５８ｍｍであり、高さ（上下方向）は５３．８ｍｍであり、厚さ（前後方向）は２２．７ｍｍである。
【００４１】
また、３個の釘穴１８は取付け部１０の上辺から１４．５ｍｍ下方にある。このため、作業の最中に何らかの理由で上方に突き上げ力が作用したりしても、留め金具が剥がれ難くなる。
【００４２】
また、図１の（１）にて容易に判る様に、左右の支持部２０Ｒ、２０Ｌの側壁部２３Ｌ、２３Ｒの左右の上下端を結ぶ線、即ち留め金具の下地材との接触箇所の凸部を結ぶ線は略長方形をなし、さらに３個のねじ穴１９のうち中央の１個は、その長方形の対角線の中心位置０に近い（３ｍｍ以内の位置）に在る。これにより、真ん中のねじ穴にねじをねじ込む際に、留め金具が回転し難くなり、その際の固定が容易となり、またねじ込み後の安定性も増加する。
【００４３】
図２は、図１の（２）の水平部の外側付近を拡大した図である。本図に示す様に、水平部３０は、左右の支持部２０Ｒ、２０Ｌの外側端から７．９ｍｍ外側へ突出しており、水平部３０の先端に下方への屈曲部３２が折り曲げ形成され、その下端は水平部の上面から７．２ｍｍ下方に位置する。また、左右の支持部２０Ｒ、２０Ｌの外側端から４．０ｍｍの位置から水平部３０の先端の左右両側は斜め上方に６８度程度折り曲げられ（垂直線に対して２２度の傾斜をなす）、長さが７．０ｍｍの外斜め上方への屈曲部３１Ｌ、３１Ｒを形成している。なお、外斜め上方への屈曲部３１Ｌ、３１Ｒの外側端は、下方への屈曲部３２の外側端より外側（前方）には出ない。
【００４４】
左右の支持部２０Ｒ、２０Ｌの側壁部２３Ｌ、２３Ｒは、上端は長さが５．３８８ｍｍの水平な頂点部２１Ｌ、２１Ｒを形成し、その外側端は上方から下方に半径２２．５ｍｍの円弧を描きつつ最後に垂直となる誘導部２２Ｌ、２２Ｒを形成する。これにより、現場での外装板の取付け作業において上方から差し込まれた外壁板の下端面は、適切に装着される様になっている。なお、これについては、後で別図を参照しつつ説明する。また、側壁部２３Ｌ、２３Ｒの外側端部は、各々左右に折り曲げられている。このため誘導部２２Ｌ、２２Ｒの外壁板との接触箇所の幅は５ｍｍと板厚の１ｍｍより広くなり、鋭利な先端で外壁板を損傷させる恐れがない。
【００４５】
左右の支持部２０Ｒ、２０Ｌの側壁部２３Ｌ、２３Ｒの下端は留め金具の下端でもあり、その位置は水平部３０の裏面から１４．５ｍｍの距離に在る。このため、これも後で説明するが、この留め金具は最下段の外壁板の固定に用いることができる。なお、従来用いられているものでは、水平部は大凡真ん中辺りに形成されている。
【００４６】
図３に、本実施の形態の留め金具が、その上下に配置された各メーカの外壁板を固定している様子を示す。本図の１は本実施の形態の留め金具であり、３１はその外斜め上方への屈曲部であり、また９１Ｕ、９１Ｌから９５Ｕ、９５Ｌは各メーカの上（Ｕ）下（Ｌ）の外壁板である。本図の（１）は取付けている外壁板がニチハ（株）の１６ｍｍ厚さの製品の１５ｍｍ及び１６ｍｍ厚さの製品の場合であり、（２）は同じく神島化学工業（株）の場合であり、（３）は同じく旭トステム外装（株）の１５ｍｍ厚さの製品の場合であり、（４）は同じくクボタ松下外装（株）の１５ｍｍ厚さの製品の場合であり、（５）は同じくクボタ松下外装（株）の１６ｍｍ厚さの製品の場合である。
【００４７】
何れのメーカの外壁板も、下地材（後）方向は側壁部２３Ｌ、２３Ｒの外側（反下地材方向）端部の垂直部分により拘束され、上方へは水平部３０の下側面で拘束され、下方へは水平部３０の上側面または下方に在る外壁板の上部端面の外側の段で拘束され、外側へは下端は外斜め上方への屈曲部３１Ｌ、３１Ｒで、上端は下方への屈曲部３２で拘束されているのが判る。
【００４８】
なお、本図の（１）から（５）の縮尺は、（２）の板厚さを除いて全て同じである。また、留め金具１は、各メーカの外壁板を固定するための要部を除いて省略して描いている。さらに、下地材等も省略してある。
また、下地材表面と外壁板の内面間は通気（空気）スペースである。
【００４９】
次に、作業性について説明する。
図３の（１）から（５）に示す様に、何れのメーカ外壁板もその下端には複雑な段が形成されているが、左右の側壁部２３Ｌ、２３Ｒの上端は５．３８８ｍｍ以下であり、また誘導部２２Ｌ、２２Ｒが連続して形成されているため、現場での外装板の取付け作業において上方から差し込まれた外壁板の下端が、特にその内側端が、側壁部２３Ｌ、２３Ｒの上端に引っかからず、また外斜め上方への屈曲部３１、３１Ｌ、３１Ｒの上端にも引っかからず、適切なはめ込みがなされる様に誘導される。
【００５０】
図４に、最下部の外壁板の下端を取付けている様子を示す。本図は、図３の（１）に示すニチハ（株）の場合であり、本実施の形態の留め金具１の下端、即ち左右の支持部２０Ｒ、２０Ｌの下端は、前方（図では左側）に在る外壁板の下端と略同じ高さに在る。このため、態々下端用の留め付け金具を用いなくても、取付け後の外壁板の下端とその下方の土台等の間に大きな隙間が生じることはない。
【００５１】
図５に、建物の角部に用いられる断面が「＜（２辺のなす角度は９０度）」状の細長い板状の外壁板を取付けている様子を示す。本図は、上から下方を見た場合である。本図において、９６は建物の角部用の外壁板である。この外壁板９６は中央で９０度折れ曲がっており、折れ曲がっている内側面の水平方向長さ（内側寸法）は７０ｍｍであり、また厚さは１５ｍｍである。
この場合も、２個の留め金具１が、直角に曲がった外壁板を適切に固定しているのが判る。
【００５２】
（第２の実施の形態）
図６に、第２の実施の形態の留め金具の３面図を示す。本図において、２５Ｌ、２５Ｒは水平部支持機構である。これは、左右の側壁状の支持部２３Ｌ、２３Ｒの水平部３０の下方に位置する箇所の一部を、切削と折り曲げにより内側へ凸出させ、水平部をその下面の左右両側から支持するものである。
【産業上の利用可能性】
【００５３】
本考案は、建築業に、特に住宅の外装産業に利用可能である。
【符号の説明】
【００５４】
１      留め金具
１０    取付け部
１１    取付け部の基板部
１２    取付け部の釘穴部
１８    釘穴
１９    ねじ穴
２０Ｌ、２０Ｒ    支持部
２１Ｌ、２１Ｒ    支持部の頂点部
２２Ｌ、２２Ｒ    支持部の誘導部
２３Ｌ、２３Ｒ    支持部の側壁部
２５Ｌ、２５Ｒ    水平部支持機構
３０    水平部
３１、３１Ｌ、３１Ｒ    外斜め上方への屈曲部
３２    下方への屈曲部
９１Ｕ、９１Ｕ〜９５Ｕ、９５Ｌ      各メーカの外壁板
９６    角部用の外壁板
【図１】
0003161057.tif 000003
【図２】
0003161057.tif 000004
【図３】
0003161057.tif 000005
【図４】
0003161057.tif 000006
【図５】
0003161057.tif 000007
【図６】
0003161057.tif 000008
【手続補正書】
【提出日】平成22年4月13日(2010.4.13)
【手続補正１】
【補正対象書類名】実用新案登録請求の範囲
【補正対象項目名】請求項２
【補正方法】変更
【補正の内容】
【請求項２】
下地材への取付け部と、取付け部の左右に形成された側壁状の支持部と、取付け部の下端かつ左右の支持部の間に形成された水平部と、水平部の外側の中央または左右両側に形成された外斜め上方への屈曲部と、水平部の外側の左右両側または中央に形成された下方への屈曲部とを有し、
側壁状の支持部は、その上方の頂点部から外側端の垂直方向への移行が曲面状または傾斜線状になされることにより誘導部を形成し、
水平部は、その下側面が左右の支持部の下端から１５．０ｍｍ以下の位置にあり、
下方への屈曲部は、水平部の先端側の左右両側部または中央部の一部が下方に９０度折り曲げられることにより形成され、その下地側面は支持部の垂直方向をなす箇所の外側端から６．８〜７．０ｍｍの位置にあり、外側面は支持部の垂直方向をなす箇所の外側端から７．８〜８．０ｍｍの位置にあり、またその下端は水平部の上側面から７．１０〜７．３ｍｍの位置にあり、
外斜め上方への屈曲部は、水平部の先端側の中央部または左右両側部の一部が、支持部の垂直方向をなす箇所の外側端から３．９５〜４．１３ｍｍの位置から外斜め上方に６８度程度折り曲げられることにより形成され、折り曲げられた箇所の最上部は支持部の垂直方向をなす箇所の外側端から６．６〜６．８ｍｍの位置に在り、折り曲げ箇所の上面の長さは７．１〜７．２４ｍｍかつ当該屈曲部の最外側端は下方への屈曲部の外側面より出ず、
さらに水平方向の最大幅は、角部用の９０度直交する外面を有する、そして内側の1辺の長さが７０ｍｍ以上の外壁板を２個の留め金具で９０度交差して配置して留めることが可能であることを特徴とする外壁板の留め付け金具。
【手続補正２】
【補正対象書類名】明細書
【補正対象項目名】００２２
【補正方法】変更
【補正の内容】
【００２２】
請求項２に記載の考案は、
下地材への取付け部と、取付け部の左右に形成された側壁状の支持部と、取付け部の下端かつ左右の支持部の間に形成された水平部と、水平部の外側の中央または左右両側に形成された外斜め上方への屈曲部と、水平部の外側の左右両側または中央に形成された下方への屈曲部とを有し、
側壁状の支持部は、その上方の頂点部から外側端の垂直方向への移行が曲面状または傾斜線状になされることにより誘導部を形成し、
水平部は、その下側面が左右の支持部の下端から１５．０ｍｍ以下の位置にあり、
下方への屈曲部は、水平部の先端側の左右両側部または中央部の一部が下方に９０度折り曲げられることにより形成され、その下地側面は支持部の垂直方向をなす箇所の外側端から６．８〜７．０ｍｍの位置にあり、外側面は支持部の垂直方向をなす箇所の外側端から７．８〜８．０ｍｍの位置にあり、またその下端は水平部の上側面から７．１０〜７．３ｍｍの位置にあり、
外斜め上方への屈曲部は、水平部の先端側の中央部または左右両側部の一部が、支持部の垂直方向をなす箇所の外側端から３．９５〜４．１３ｍｍの位置から外斜め上方に６８度程度折り曲げられることにより形成され、折り曲げられた箇所の最上部は支持部の垂直方向をなす箇所の外側端から６．６〜６．８ｍｍの位置に在り、折り曲げ箇所の上面の長さは７．１〜７．２４ｍｍかつ当該屈曲部の最外側端は下方への屈曲部の外側面より出ず、
さらに水平方向の最大幅は、角部用の９０度直交する外面を有する、そして内側の1辺の長さが７０ｍｍ以上の外壁板を２個の留め金具で９０度交差して配置して留めることが可能であることを特徴とする外壁板の留め付け金具である。